(57)【特許請求の範囲】
【請求項１】
内容物を保持すると共に積層される複数の台座と、積層された複数の前記台座を収容するホルダと、前記台座を送り出して前記ホルダの外部に露出させる送り機構とを備えた操出容器において、
前記台座は、前記台座同士を積層方向に連結する係合機構と、前記係合機構によって該台座の下に連結された他の台座における他の内容物を覆うカバー部とを備えていることを特徴とする操出容器。
【請求項２】
前記係合機構は、前記台座の上端部に形成された突起部と、前記突起部に係合する係合爪とを有し、前記係合爪は、該係合爪の上端部を摘むことにより前記係合爪の下端部が開いて前記突起部との係合が外れるように構成されていることを特徴とする請求項１に記載の操出容器。
【請求項３】
前記台座における前記係合爪の下端部は、該台座の下に連結された他の台座における他の係合爪の上端部より下側に位置するように構成されており、かつ、
前記係合爪の下端部と前記他の係合爪の上端部との間隔は、前記係合爪の上端部を摘むことにより前記係合爪の下端部が開いた場合に、前記係合爪と前記他の台座における他の突起部との係合が外れると共に、前記係合爪の下端部が前記他の係合爪の上端部に当接する間隔であることを特徴とする請求項２に記載の操出容器。
【請求項４】
前記送り機構は、前記ホルダに一定の間隔で形成されたラチェット歯と、前記ラチェット歯に噛み合うラチェット爪と、前記台座に連結されかつ押圧されることにより前記ラチェット歯と前記ラチェット爪との噛み合いを解除する操作部とを有し、前記操作部に前記ラチェット爪が設けられていることを特徴とする請求項１に記載の操出容器。
【発明の詳細な説明】
【技術分野】
【０００１】
この発明は、ホルダの内部に収容された台座を繰り出すように構成された操出容器に関するものである。
【背景技術】
【０００２】
特許文献１に記載された装置は、貯蔵室としての筒状のホルダを備え、そのホルダの内面に螺旋溝が形成されている。その螺旋溝に嵌まり合う翼部を有する吸収パッドが積み重ねられた状態で前記ホルダの内部に収容されている。ホルダの一方の端部にネジ式のアクチュエータが設けられており、このアクチュエータの制御具を回転させることにより、その回転に連動して前記ホルダの他方の端部から吸収パッドが露出するように構成されている。
【先行技術文献】
【特許文献】
【０００３】
【特許文献１】特表２０１１−５０４３７６号公報
【発明の概要】
【発明が解決しようとする課題】
【０００４】
特許文献１に記載された構成では、上述したように、アクチュエータの制御具を回転させることによって吸収パッドを送り出すように構成されているため、前記制御具を回転させすぎると、複数の吸収パッドがホルダの外部に一度に排出されてしまう可能性がある。また、各吸収パッドは単に積み重なっているだけであるため、上記のようにして複数の吸収パッドが繰り出された場合には、それらの吸収パッドが四散してしまう可能性がある。さらに、ホルダの内面に螺旋溝を形成したり、それに嵌まり合う翼部を吸収パッドに形成したりするなど、装置全体としての構成が複雑になる可能性があった。
【０００５】
この発明は、上記の技術的課題に着目してなされたものであって、所定の台座を繰り出して使用できると共にその使用した台座を取り外すことができる操出容器を提供することを目的とするものである。
【課題を解決するための手段】
【０００６】
上記の目的を達成するために、この発明は、内容物を保持すると共に積層される複数の台座と、積層された複数の前記台座を収容するホルダと、前記台座を送り出して前記ホルダの外部に露出させる送り機構とを備えた操出容器において、前記台座は、前記台座同士を積層方向に連結する係合機構と、前記係合機構によって該台座の下に連結された他の台座における他の内容物を覆うカバー部とを備えていることを特徴とするものである。
【０００７】
この発明における前記係合機構は、前記台座の上端部に形成された突起部と、前記突起部に係合する係合爪とを有し、前記係合爪は、該係合爪の上端部を摘むことにより前記係合爪の下端部が開いて前記突起部との係合が外れるように構成されていてよい。
【０００８】
この発明における前記台座における前記係合爪の下端部は、該台座の下に連結された他の台座における他の係合爪の上端部より下側に位置するように構成されており、かつ、前記係合爪の下端部と前記他の係合爪の上端部との間隔は、前記係合爪の上端部を摘むことにより前記係合爪の下端部が開いた場合に、前記係合爪と前記他の台座における他の突起部との係合が外れると共に、前記係合爪の下端部が前記他の係合爪の上端部に当接する間隔であってよい。
【０００９】
この発明における前記送り機構は、前記ホルダに一定の間隔で形成されたラチェット歯と、前記ラチェット歯に噛み合うラチェット爪と、前記台座に連結されかつ押圧されることに前記ラチェット歯と前記ラチェット爪との噛み合いを解除する操作部とを有し、前記操作部に前記ラチェット爪が設けられていてよい。
【発明の効果】
【００１０】
この発明によれば、各台座は積層されかつ互いに連結されているため、送り機構による各台座のいわゆる送り量が過大であったとしても、ホルダから突出した各台座が四散することを抑制できる。また、カバー部によって内容物が覆われているため、積層方向で最も上側に配置されている台座の内容物以外の内容物が乾燥したり、異物が付着したりすることを抑制できる。
【００１１】
また、この発明によれば、係合爪の上端部を摘むことによりその下端部が開いて係合爪と突起部との係合が外れるように構成されているため、台座を一つずつ確実に取り外すことができる。
【００１２】
さらに、この発明によれば、台座における係合爪の上端部を摘むと、該台座における係合爪の下端部が開いて該台座における係合爪と該台座の下に連結された他の台座における他の突起部との係合が解除されると共に、該台座における係合爪の下端部と、他の台座における他の係合爪の上端部とが当接する。そのため、一つの台座を該台座の下に連結された他の台座から取り外す場合に、前記他の台座と該他の台座の下に連結された更に他の台座との連結を維持することができる。
【００１３】
そして、この発明によれば、送り機構の操作部を押圧すると、ラチェット歯とラチェット爪との係合が解除されて各台座が移動可能なる。すなわち操作部に対する押圧力を解除すると、いわゆるロック状態となり、台座の移動を阻止することができる。そして、操作部を押圧すると、前記ロックが解除されて台座を送り出すことができる。そのため、いわゆる送り量を制御しやすい。
【図面の簡単な説明】
【００１４】
【図１】この発明に係る操出容器の一例の断面図である。
【図２】メインキャップを取り外したこの発明に係る操出容器の一部を断面で示す斜視図である。
【図３】この発明における台座を２つ連結した状態の斜視図である。
【図４】この発明における台座を２つ連結した状態の断面図である。
【発明を実施するための形態】
【００１５】
図１は、この発明に係る操出容器の一例の断面図であり、図２は、メインキャップを取り外したこの発明に係る操出容器の一部破断した斜視図である。この操出容器１は、軸線方向に延びるスリット２が形成された筒状のホルダ３と、そのホルダ３の内部に積層されかつ互いに連結された状態で収容される複数の台座４と、それら台座４を送り出す送り機構５とを備えている。上記のホルダ３の一方の端部に円筒部６が一体に設けられており、送り機構５によって送り出された台座４がこの円筒部６からホルダ３の外部に露出するようになっている。上記のホルダ３の他方の端部にエンドキャップ７が取り付けられており、このエンドキャップ７にメインキャップ８が嵌合するようになっている。これらエンドキャップ７とメインキャップ８とによってホルダ３およびその内部に収容された各台座４が密封されている。なお、以下の説明では、各台座４をそれらの積層方向で上から順に符号４Ａ，４Ｂ，４Ｃと記す。
【００１６】
図３は、この発明における台座を２つ連結した状態の斜視図であり、図４は、この発明における台座を２つ連結した状態の断面図である。なお、図３および図４には、台座４の積層方向で上側に配置される台座を符号４Ａで記し、下側に配置される他の台座を符号４Ｂで記してある。各台座４Ａ，４Ｂは、筒状の胴部９を有し、この胴部９の一方の端部に台座４の長さ方向に測った長さが胴部９より短い楕円状のパネル部１０が設けられている。すなわち、このパネル部１０によって胴部９の一方の開口部が塞がれている。上記の胴部９は互いに平行な一対の平面部９Ａとそれら平面部９Ａを連結する半円状の円弧部９Ｂとによって構成されており、各円弧部９Ｂの先端部は、図４に示すように、各平面部９Ａの先端部より台座４の軸線方向下方に延び出ている。平面部９Ａの先端部同士の間に、台座４Ａの下に連結される他の台座４Ｂのパネル部１０が配置され、台座４Ａの各円弧部９Ｂの先端部同士の間に、図３に示すように、他の台座４Ｂのパネル部１０が嵌まり合うようになっている。
【００１７】
パネル部１０の中央部に台座４の軸線方向に測った深さが浅い円形の凹部１１が形成されており、その凹部１１に、該凹部１１の直径とほぼ等しい直径のスポンジからなるパフ１２が取り付けられている。このパフ１２に、液状あるいはクリーム状の化粧料が含浸されている。また、凹部１１に、パフ１２に替えて固形の化粧料を取り付けてもよい。なお、化粧料に替えて液状あるいはクリーム状の医薬品や食品をパフ１２に含浸させてもよく、また、固形の医薬品や食品を取り付けてもよい。上記の台座４に取り付けられるパフ１２、化粧料、医薬品や食品などが本発明の内容物に相当している。
【００１８】
胴部９におけるパネル部１０を挟んで凹部１１とは反対側が、この発明におけるカバー部に相当する他の凹部１３となっている。この他の凹部１３は、前記軸線方向に測った深さが前記凹部１１より深い。後述するように各台座４Ａ，４Ｂを連結した場合に、この他の凹部１３の内部に、図３や図４に示すように、他の台座４Ｂのパフ１２が配置されると共に密封されるようになっている。また、前記他の凹部１３に送り機構５における後述する結合部が連結されるようになっている。
【００１９】
各平面部９Ａにおけるパネル部１０側に台座４の外側に向けて凸となった突起部１４が形成されている。この突起部１４におけるパネル部１０側の側面１４Ａは、図３や図４に示すように、平面部９Ａに対して予め定めた角度傾斜している。一方、突起部１４における前記側面１４Ａとは反対側の側面１４Ｂは、図４に示すように、平面部９Ａに対して垂直な平面となっており、この側面１４Ｂに後述する係合爪１６の係止部１７が係合するように構成されている。
【００２０】
また、各平面部９Ａの先端部側に連結部１５が設けられている。この連結部１５に平面部９Ａに対して予め定めた角度傾斜して平板状の係合爪１６の一方の端部側が接続されている。この係合爪１６の一方の端部に鉤状の係止部１７が形成されており、この係止部１７と、上述した突起部１４とが係合するように構成されている。係合爪１６における他方の端部は、図４に示すように、軸線方向で突起部１４よりパフ１２側に出っ張らないように構成されると共に、台座４の外側に向けて突出している。この突出している部分が把持部１８となっている。これらの把持部１８を押圧するとすなわち摘むと、連結部１５と係合爪１６との接続部を支点として係止部１７が突起部１４から離隔する。
【００２１】
また、図４に示すように、上側の台座４Ａの係止部１７は、下側の他の台座４Ｂの把持部１８より図４での下方に配置されるように構成されている。そして上側の台座４Ａの係止部１７の外面と、下側の他の台座４Ｂの把持部１８の内面との間に所定の隙間Ｃが形成されている。この隙間Ｃは、上述したように、台座４Ａの把持部１８を摘んだ場合に、台座４Ａの係止部１７が他の台座４Ｂの突起部１４から離隔してそれらの係合が外れると共に、台座４Ａの係止部１７の外面と他の台座４Ｂの把持部１８の内面とが当接する間隔となっている。そのため、上記のようにして台座４Ａと他の台座４Ｂとの連結を解除すると、台座４Ａの係止部１７によって他の台座４Ｂの把持部１８が押圧されて他の台座４Ｂの外側に向けて変位し、それに伴って他の台座４Ｂの係止部１７が、該他の台座４Ｂの下側に連結される更に他の台座４Ｃに接近するように変位する。その結果、他の台座４Ｂと前記更に他の台座４Ｃとの連結状態が維持される。なお、これら突起部１４と係合爪１６とがこの発明における係合機構に相当している。
【００２２】
上記の送り機構５は、ホルダ３の外周側に設けられると共にスリット２に沿って移動可能な操作パネル１９と、図１および図２に示すように、スリット２の内側面に図２の上下方向に一定の間隔で形成されたラチェット歯２０と、そのラチェット歯２０に噛み合うラチェット爪２１とを備えている。操作パネル１９のほぼ中央部に操作部２２が設けられている。この操作部２２は、ここに示す例では矩形に形成されており、その周囲の４辺のうち３辺に沿って操作パネル１９の板厚方向に貫通した切り欠き部２３が形成され、残りの１辺に沿って操作パネル１９の板厚より薄い薄肉部２４が形成されている。この薄肉部２４は、ここに示す例では、操作パネル１９の進行方向側すなわちホルダ３の軸線方向で円筒部６側に形成されている。具体的には、操作部２２は薄肉部２４を介して操作パネル１９に接続されている。上記の操作部２２の側面のうち、ラチェット歯２０が形成されたスリット２の内側面に対向する側面に上述したラチェット爪２１が設けられている。したがって、操作部２２のうち、ラチェット爪２１が形成されている部分はスリット２内に位置している。そして、操作部２２を押圧すると、ラチェット歯２０からラチェット爪２１が離隔して各台座４が移動可能になる。一方、上記の押圧力を解除すると、ラチェット歯２０とラチェット爪２１とが接近して噛み合い、上述した移動が阻止される。いわゆるロック状態になる。
【００２３】
上記の操作パネル１９に台座４の他の凹部１３に嵌合する結合部２５が一体に形成されている。その結合部２５の側面に、係合爪１６の係止部１７に係合する他の突起部２６が形成されている。この他の突起部２６は上述した突起部１４と同様に構成されている。
【００２４】
次に上記構成の操出容器１の作用について、組み立て方法と共に説明する。パフ１２を取り付けた複数の台座４を積層すると共に、上側に配置される台座４Ａの係合爪１６の係止部１７と、台座４Ａの下に配置される他の台座４Ｂの突起部１４とを係合させて互いに連結させる。こうすることにより、積層方向で最も上段に配置されている台座４Ａのパフ１２以外のパフ１２は、その上側に連結された台座４における他の凹部１３によって密封される。また積層方向で最も下段に配置されている台座４の他の凹部１３に送り機構５の結合部２５を連結させると共に、当該最も下段に配置されている台座４の係合爪１６の係止部１７と、結合部２５の側面に形成された他の突起部２６とを係合させる。このようにして複数の台座４と送り機構５とを一体化させたユニットを、送り機構５の操作部２２とホルダ３のスリット２とを位置合わせした状態でホルダ３におけるエンドキャップ７側の端部から挿入する。そして、操作部２２の側面に形成されたラチェット爪２１と、スリット２の内側面に形成されたラチェット歯２０とを噛合させる。その後、ホルダ３にエンドキャップ７を取り付け、そのエンドキャップ７にメインキャップ８を嵌合させる。こうすることにより、最も上段に配置されている台座４のパフ１２も密封される。
【００２５】
上記構成の操出容器１を使用する場合について説明する。メインキャップ８を取り外す。送り機構５の操作部２２を押圧すると、操作部２２がホルダ３の内側に向けて変位し、この状態で操作部２２に、該操作部２２を円筒部６側にスライドさせる荷重を作用させると、ラチェット爪２１がラチェット歯２０から外れて円筒部６側に移動する。そして積層方向で最も上段に配置されている台座４Ａが円筒部６から露出する。また、上記の押圧力および円筒部６側に操作部２２をスライドさせる荷重を解除すると、ラチェット歯２０とラチェット爪２１とが接近して噛み合い、上述した移動が阻止される。すなわちロックされる。この状態で、最も上段に配置されている台座４Ａのパフ１２が使用される。
【００２６】
上記のパフ１２の使用後について説明する。最も上段に配置されている台座４Ａの２つの把持部１８を押圧するとすなわち摘むと、該台座４Ａの係止部１７が開いてその下に連結されている他の台座４Ｂの突起部１４から離隔する。またこの場合に、台座４Ａの係止部１７の外面と、他の台座４Ｂの把持部１８の内面とが当接して他の台座４Ｂの把持部１８が外側に向けて変位する。それに伴って他の台座４Ｂの係止部１７が該他の台座４Ｂの下に連結された更に他の台座４Ｃの突起部１４に接近する。その結果、他の台座４Ｂと更に他の台座４Ｃとの連結を維持した状態で、最も上段に配置されている台座４Ａを取り外すことができる。
【００２７】
したがって、この発明では、使用した台座４Ａを一つずつ確実に取り外すことができる。また、把持部１８を摘むことにより台座４を取り外すため、前記取り外しの際に、パフ１２に含浸させた化粧料が使用者の手や指に付着することを抑制できる。さらに、最も上段に配置されている台座４Ａのパフ１２以外のパフ１２は、積層方向で上側に配置される台座４の他の凹部１３によって密封されるため、それらパフ１２に含浸させた化粧料が蒸発したり、異物によって汚染されたりすることを抑制できる。すなわち、衛生的な操出容器１とすることができる。
【符号の説明】
【００２８】
１…操出容器、  ３…ホルダ、  ４…台座、  ５…送り機構、  １２…パフ（内容物）、  １３…他の凹部（カバー部）、  １４…突起部（係合機構）、  １６…係合爪（係合機構）。
【図１】
0006533080.tif 000002
【図２】
0006533080.tif 000003
【図３】
0006533080.tif 000004
【図４】
0006533080.tif 000005